(57)【要約】【課題】従来の表示装置では、周辺環境の明るさの変動に応じて表示部の輝度を調整されているものに過ぎず、表示部の輝度が必ずしも適切に調整されるとは限らなかった。【解決手段】表示装置は、姿勢を検出する姿勢検出部と、周辺照度を検出する照度検出部と、姿勢検出部の検出結果により、表示部の輝度を照度検出部の検出結果に連動して調整するか否かを決定する輝度調整部とを備える。また、表示制御プログラムは、姿勢を検出する姿勢検出ステップと、周辺照度を検出する照度検出ステップと、姿勢検出ステップの検出結果により、表示部の輝度を照度検出ステップの検出結果に連動して調整するか否かを決定する決定ステップとをコンピュータに実行させる。【選択図】図３
2013127548.tif 000002
【特許請求の範囲】
【請求項１】
姿勢を検出する姿勢検出部と、
周辺照度を検出する照度検出部と、
前記姿勢検出部の検出結果により、表示部の輝度を前記照度検出部の検出結果に連動して調整するか否かを決定する輝度調整部と
を備える表示装置。
【請求項２】
画像を前記表示部に表示させる場合に、前記姿勢検出部の検出結果により、前記画像の表示方向を変更するか否かを設定する設定部を備え、
前記輝度調整部は、前記設定部の設定を加味して、前記輝度を前記照度検出部の検出結果に連動して調整するか否かを決定する請求項１に記載の表示装置。
【請求項３】
前記表示部に連続して表示する画像が関連画像であるか否かを判断する判断部を備え、
前記輝度調整部は、前記判断部の判断結果を加味して、前記輝度を前記照度検出部の検出結果に連動して調整するか否かを決定する請求項１または２に記載の表示装置。
【請求項４】
撮像部を備える請求項１から３のいずれか１項に記載の表示装置。
【請求項５】
前記輝度調整部は、前記表示部が前記撮像部による撮像画像を逐次表示しているか否かを加味して、前記輝度を前記照度検出部の検出結果に連動して調整するか否かを決定する請求項４に記載の表示装置。
【請求項６】
三脚により固定されているか否かを検出する三脚検出部を備え、
前記輝度調整部は、前記三脚検出部の検出結果を加味して、前記輝度を前記照度検出部の検出結果に連動して調整するか否かを決定する請求項４または５に記載の表示装置。
【請求項７】
前記撮像部が撮像する被写体を測光する測光部を備え、
前記輝度調整部は、前記測光部の検出結果を加味して、前記輝度を前記照度検出部の検出結果に連動して調整するか否かを決定する請求項４から６のいずれか１項に記載の表示装置。
【請求項８】
前記輝度調整部は、前記測光部による検出結果と前記照度検出部による検出結果との差異が予め定められた閾値を超えるか否かにより、前記輝度を前記照度検出部の検出結果に連動して調整するか否かを決定する請求項７に記載の表示装置。
【請求項９】
撮影モードを選択する選択部を備え、
前記輝度調整部は、前記選択部によりいずれの撮影モードが選択されているかを加味して、前記輝度を前記照度検出部の検出結果に連動して調整するか否かを決定する請求項４から８のいずれか１項に記載の表示装置。
【請求項１０】
外界から保護する保護部材により前記撮像部の光学系が覆われているか否かを検出する被覆検出部を備え、
前記輝度調整部は、前記被覆検出部の検出結果を加味して、前記輝度を前記照度検出部の検出結果に連動して調整するか否かを決定する請求項４から９のいずれか１項に記載の表示装置。
【請求項１１】
前記撮像部の光学系が着脱可能であって、前記光学系が装着されているか否かを検出する着脱検出部を備え、
前記輝度調整部は、前記着脱検出部の検出結果を加味して、前記輝度を前記照度検出部の検出結果に連動して調整するか否かを決定する請求項４から１０のいずれか１項に記載の表示装置。
【請求項１２】
同一姿勢の継続時間を計時する計時部を備え、
前記輝度調整部は、前記計時部の経時結果を加味して、前記輝度を前記照度検出部の検出結果に連動して調整するか否かを決定する請求項１から１１のいずれか１項に記載の表示装置。
【請求項１３】
姿勢を検出する姿勢検出ステップと、
周辺照度を検出する照度検出ステップと、
前記姿勢検出ステップの検出結果により、表示部の輝度を前記照度検出ステップの検出結果に連動して調整するか否かを決定する決定ステップと
をコンピュータに実行させる表示制御プログラム。
【発明の詳細な説明】
【技術分野】
【０００１】
本発明は、表示装置、および表示制御プログラムに関する。
【背景技術】
【０００２】
周辺環境の明るさに応じて、表示装置に設けられた表示部の輝度を調整する技術が知られている。
［先行技術文献］
［特許文献］
［特許文献１］特開２０１０−２５８５６９号公報
【発明の概要】
【発明が解決しようとする課題】
【０００３】
従来の表示装置では、周辺環境の明るさの変動に応じて表示部の輝度を調整されているものに過ぎず、表示部の輝度が必ずしも適切に調整されるとは限らなかった。
【課題を解決するための手段】
【０００４】
本発明の第１の態様における表示装置は、姿勢を検出する姿勢検出部と、周辺照度を検出する照度検出部と、姿勢検出部の検出結果により、表示部の輝度を照度検出部の検出結果に連動して調整するか否かを決定する輝度調整部とを備える。
【０００５】
本発明の第２の態様における表示制御プログラムは、姿勢を検出する姿勢検出ステップと、周辺照度を検出する照度検出ステップと、姿勢検出ステップの検出結果により、表示部の輝度を照度検出ステップの検出結果に連動して調整するか否かを決定する決定ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本発明の一実施形態に係るデジタルカメラの側面図である。
【図２】図１に示すデジタルカメラの背面図である。
【図３】図１に示すデジタルカメラのブロック図である。
【図４】デジタルカメラが様々な姿勢に保持された状態を示す図である。
【図５】本発明の一実施形態に係るデジタルカメラのフローチャートを示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本発明の一実施形態に係る表示装置としてのデジタルカメラ１００の側面図である。デジタルカメラ１００は、カメラ本体１０１と、カメラ本体１０１に着脱可能に取り付けられる交換レンズ１０２とを備える。デジタルカメラ１００は、カメラ本体１０１と交換レンズ１０２とが組み合わされて、カメラとしての機能を発揮する。なお、図示するように、デジタルカメラ１００の光軸Ａに平行な方向をｚ軸方向、カメラ本体１０１の左右幅方向をｘ軸方向、デジタルカメラ１００の上下高さ方向をｙ軸方向とする。また、ｘ軸正方向は、背面から見た場合のデジタルカメラ１００の幅方向右側、すなわち図１の紙面裏方向とする。また、ｙ軸正方向は、デジタルカメラ１００の高さ方向上側、すなわち図１の紙面上方向とする。また、ｚ軸正方向は、デジタルカメラ１００の光入射方向、すなわち図１の紙面右方向とする。
【００１０】
図２は、図１に示すデジタルカメラ１００の背面図である。カメラ本体１０１の背面には、表示部１０３が設けられている。表示部１０３は、使用時においてはライブビュー画像、再生画像、メニュー等を表示する。表示部１０３には、液晶ディスプレイ、有機ＥＬディスプレイ等が用いられる。なお、本実施形態においては、表示部１０３は、液晶ディスプレイである。
【００１１】
カメラ本体１０１の背面には、複数の操作部材１０４が設けられている。ユーザは、操作部材１０４を操作することによって、デジタルカメラ１００に指示を与える。操作部材１０４は、ディスプレイボタン１０５と、メニューボタン１０６と、十字キー１０７と、決定ボタン１０８と、再生ボタン１０９と、撮影モードダイヤル１１０とを含む。ディスプレイボタン１０５は、表示部１０３を表示させるか否かを切替えるためのボタンである。ユーザがディスプレイボタン１０５を操作すると、表示部１０３は、ライブビュー画像、または再生画像等を表示する。
【００１２】
メニューボタン１０６は、メニュー項目を表示させるためのボタンである。ユーザがメニューボタン１０６を操作すると、表示部１０３は、メニュー項目を表示する。メニュー項目は、自動輝度調整を設定する項目、自動回転表示の設定を行う項目等の、デジタルカメラ１００の各種設定を行うための複数の項目を含む。自動輝度調整を設定する項目は、表示部１０３の輝度を周囲の照度に応じて自動的に調整するか否かを設定する項目である。自動回転表示の設定を行う項目は、デジタルカメラ１００の姿勢に応じて、表示部１０３に表示する画像を、ユーザが見易い角度に自動的に回転させるか否かを設定する項目である。なお、自動回転表示の詳細については、後述する。
【００１３】
十字キー１０７は、メニュー項目等を選択するためのボタンである。決定ボタン１０８は、選択した項目を確定させるためのボタンである。例えば、ユーザは、十字キー１０７を操作し、表示部１０３に表示されるカーソルを動かす。そして、ユーザは、決定ボタン１０８を操作することより、アクティブとなっているメニュー項目の設定をカメラに指示することができる。再生ボタン１０９は、デジタルカメラ１００を再生モードへ移行させ、デジタルカメラ１００に記録された画像を表示部１０３に再生させるボタンである。
【００１４】
撮影モードダイヤル１１０は、カメラ本体１０１の上部に設けられた回転式の操作部材である。ユーザは、撮影モードダイヤル１１０を操作することによって、撮影モードを任意に選択することができる。例えば、ユーザは、マニュアルモード、絞り優先モード、夜景モード等を選択することができる。すなわち、本実施形態においては、撮影モードダイヤル１１０は、撮影モードを選択するための選択部として機能する。
【００１５】
カメラ本体１０１の背面上部には、ファインダー１１１が設けられている。ユーザは、ファインダー１１１を使用して被写体を撮影することができる。ファインダー１１１を介して被写体の撮影を行う場合、ユーザは、ファインダー１１１に接眼して内部をのぞき込み、ファインダー１１１内に映し出される被写体像を視認して撮影を行う。
【００１６】
ファインダー１１１の下方近傍には、障害物センサ１１２が設けられている。障害物センサは、ファインダー１１１の近傍の障害物を検知する。例えば、障害物センサ１１２は、ユーザがファインダー１１１に接眼したときに、ユーザの存在を検知する。そして、障害物センサ１１２は、検知信号を後述するカメラ制御部１２１に出力する。
【００１７】
カメラ本体１０１の背面には、照度センサ１１３が設けられている。照度センサ１１３は、表示部１０３の近傍に配設され、ユーザが表示部１０３を観察する観察環境としての外界の明るさを検出する。また、カメラ本体１０１の内部には、カメラ本体１０１の姿勢を検出する姿勢センサ１１４が設けられている。姿勢センサ１１４は、例えば互いに直交する３軸方向に感度を有する加速度センサであって、後述するように、カメラ本体１０１の姿勢を検出することができる。
【００１８】
図３は、本実施形態に係るデジタルカメラ１００のブロック図である。デジタルカメラ１００は、カメラ制御部１２１を備える。カメラ制御部１２１は、デジタルカメラ１００を構成する各要素を直接的または間接的に制御する。カメラ制御部１２１は、システムメモリ１２２と通信する。システムメモリ１２２は、電気的に消去・記録可能な不揮発性メモリであり、例えばＥＥＰＲＯＭ（登録商標）等により構成される。
【００１９】
システムメモリ１２２は、デジタルカメラ１００の動作時に必要な定数、変数、設定値、プログラム等を、デジタルカメラ１００の非動作時にも失われないように記録している。特に、ユーザが設定する各種設定値は、デジタルカメラ１００のメニュー項目として、種類に応じて複数に分類され、ユーザに提示するメニュー画面と共に管理されている。
【００２０】
デジタルカメラ１００は、レンズ群１２３を備える。レンズ群１２３は、主にズームレンズ、フォーカスレンズ、手振れ補正レンズを含む。被写体像は、光軸に沿ってレンズ群１２３に入射し、撮像素子１２７の結像面に結像する。カメラ制御部１２１は、レンズ制御部１２６を介して、レンズ群１２３を制御する。
【００２１】
撮像素子１２７は、レンズ群１２３を透過して入射する被写体像である光学像を光電変換する素子であり、例えば、ＣＣＤ、ＣＭＯＳセンサが用いられる。撮像素子１２７は、撮像部の一部を構成する。撮像素子１２７は、駆動部１２８を介して、カメラ制御部１２１によって制御される。撮像素子１２７で光電変換された被写体像は、Ａ／Ｄ変換器１２９でアナログ信号からデジタル信号に変換される。
【００２２】
デジタル信号に変換された被写体像は、画像データとして順次処理される。Ａ／Ｄ変換器１２９によりデジタル信号に変換された画像データは、一旦内部メモリ１３０に記憶される。内部メモリ１３０は、高速で読み書きのできるランダムアクセスメモリであり、例えばＤＲＡＭ、ＳＲＡＭなどが用いられる。
【００２３】
内部メモリ１３０は、連写撮影、ブラケット撮影、および動画撮影等において、高速に連続して画像データが生成される場合に、画像処理の順番を待つバッファメモリとしての役割を担う。また、画像処理部１３１が行う画像処理、圧縮処理において、ワークメモリとしての役割も担うと共に、所定の目的に即して加工処理された画像データを一時的に保管する役割も担う。更に、システムメモリ１２２に記録されている定数、変数、設定値、プログラム等が適宜展開されて、デジタルカメラ１００の制御に利用される。したがって、内部メモリ１３０は、これらの役割を担うに相当する十分なメモリ容量を備える。
【００２４】
画像処理部１３１は、設定されている撮影モード、ユーザからの指示に従って、予め定められた形式の画像データに変換する。例えば、画像処理部１３１は、Ａ／Ｄ変換器１２９から受け取った画像データに、適応離散コサイン変換等を施して圧縮処理を行い、ＪＰＥＧ（Ｊｏｉｎｔ Ｐｈｏｔｏｇｒａｐｈｉｃ Ｅｘｐｅｒｔｓ Ｇｒｏｕｐ）ファイルを作成する。次いで、画像処理部１３１は、作成したＪＰＥＧファイルにＥｘｉｆ（Ｅｘｃｈａｎｇｅａｂｌｅ Ｉｍａｇｅ Ｆｉｌｅ Ｆｏｒｍａｔ）情報を付加する。そして、画像処理部１３１は、作成した画像データを内部メモリ１３０から記録部１３２に送る。そして、画像データは、記録部１３２に記録される。記録部１３２は、例えばデジタルカメラ１００に対して着脱可能な不揮発性メモリである。
【００２５】
ここで、関連画像の処理について述べる。本実施形態における関連画像とは、連写撮影またはブラケット撮影等の連続撮影によって撮影された、互いに関連する一連の画像を示す。連続撮影によって関連画像が撮影された場合、画像処理部１３１は、Ａ／Ｄ変換器１２９より画像データを受け取り、Ｅｘｉｆ情報が付加されたＪＰＥＧファイルを作成する。そして、画像処理部１３１は、Ｅｘｉｆ情報のヘッダーに、連続撮影によって撮影された一連の画像データを関連付けるための関連情報を書き込む。カメラ制御部１２１は、関連情報が書き込まれた画像データを記録部１３２へ送る。そして、連続撮影された一連の画像データは、互いを関連付ける関連情報を含む画像データとして、記録部１３２に記録される。
【００２６】
画像処理部１３１で処理された画像データは、記録用に処理される画像データに並行して、表示用画像データを生成する。通常の表示用画像データは、記録用に処理される画像データをコピーして間引き処理された、画素数の少ない画像データである。つまり、記録用に処理される画像データに従って生成される通常の表示用画像データは、記録用の画像データと同様のカラー情報であるＲＧＢ情報を有する。
【００２７】
このように生成された表示用画像データは、表示制御部１３３により、赤色信号であるＲ信号、緑色信号であるＧ信号および青色信号であるＢ信号に変換されて上記表示部１０３へ出力される。また、同時に、表示制御部１３３は、表示部１０３のバックライトの輝度を調整する輝度調整信号を出力する。
【００２８】
なお、後述するように、本実施形態に係るカメラ制御部１２１は、デジタルカメラ１００の姿勢と周囲の環境照度とを参照して、表示部１０３のバックライトの輝度を調整するか否かを決定する。そして、表示制御部１３３は、カメラ制御部１２１の指令に従って、表示部１０３のバックライトの輝度を適宜調整する。すなわち、本実施形態においては、カメラ制御部１２１は、表示部１０３のバックライトの輝度を調整するか否かを決定する輝度調整部として機能する。
【００２９】
表示部１０３は、ＬＣＤパネルとバックライトを備える液晶ディスプレイである。表示部１０３は、表示制御部１３３が出力するＲＧＢ信号および輝度調整信号を受け取り、ＬＣＤパネルの各画素でＲＧＢ信号の階調を生成する。これとともに、表示部１０３は、バックライトの輝度を調整する。これにより、表示部１０３は、表示用画像データをユーザに視認されるように表示する。
【００３０】
記録の有無に関わらず、画像処理部１３１が撮像素子１２７の出力に従って逐次表示用画像データを生成して表示部１０３へ出力すれば、スルー画としてのライブビュー表示を実現することができる。本実施形態においては、ユーザがディスプレイボタン１０５を操作して表示部１０３を表示させると、表示部１０３はライブビュー表示を開始する。そして、デジタルカメラ１００は、被写体撮影モードとなる。一方、ユーザが再生ボタン１０９を押すと、デジタルカメラ１００は、再生モードとなる。そして、カメラ制御部１２１は、記録部１３２に記録された画像を表示部１０３に表示させる。
【００３１】
ここで、上記した関連画像の再生について述べる、カメラ制御部１２１は、記録部１３２から、連写撮影またはブラケット撮影等の連続撮影によって撮影された画像データを読み出し、画像データに付加された上記Ｅｘｉｆ情報を参照する。そして、カメラ制御部１２１は、Ｅｘｉｆ情報に関連情報が書き込まれているか否かを判断する。これにより、カメラ制御部１２１は、読み出した画像データが連写撮影またはブラケット撮影された一連の画像データであることを判断することができる。すなわち、本実施形態に係るカメラ制御部１２１は、読み出した画像データが関連画像であるか否かを判断する判断部として機能する。カメラ制御部１２１は、読み出した関連画像を、表示制御部１３３を介して、個別表示または一覧表示等によって表示部１０３に表示させる。
【００３２】
また、表示制御部１３３は、上記Ｅｘｉｆ情報等のような画像データに付随する情報、および、システムメモリ１２２に記録されたメニュー画面等も、表示部１０３に単独で、あるいは表示画像に重畳して表示させることもできる。また、表示制御部１３３は、ディスプレイボタン１０５の操作により表示ＯＦＦの指示がなされた場合には、表示部１０３による表示を禁止する。
【００３３】
デジタルカメラ１００は、被写体環境の明るさを検出する測光センサ１３４を備える。測光センサ１３４は、被写体環境の輝度を検出するＡＥセンサの役割を担う素子であり、二次元配列された光電変換素子により構成される。測光センサ１３４は、レンズ群１２３を透過して入射する被写体像の一部を受光して光電変換し、被写体環境の輝度信号としてカメラ制御部１２１に出力する。
【００３４】
デジタルカメラ１００は、カメラ本体１０１に交換レンズ１０２が装着されているか否かを検出するためのレンズ着脱検出部１３５を備える。レンズ着脱検出部１３５は、カメラ本体１０１における交換レンズ１０２との連結部に設けられており、交換レンズ１０２がカメラ本体１０１に装着されると、カメラ制御部１２１へ検出信号を出力する。
【００３５】
照度センサ１１３は、上記したように、ユーザが表示部１０３を観察する観察環境としての外界の明るさを検出する。カメラ制御部１２１は、照度センサ１１３から出力される照度信号を受け取って、外界の環境照度値を算出する。上記した自動輝度調整の設定を有効とした場合、カメラ制御部１２１は、環境照度を参照し、表示制御部１３３に表示部１０３のバックライトの輝度を適正に調整するように指令する。表示制御部１３３は、カメラ制御部１２１の指令に従って表示部１０３に輝度調整信号を送り、表示部１０３の輝度を調整する。
【００３６】
姿勢センサ１１４は、デジタルカメラ１００の姿勢を検出する。姿勢センサ１１４は、上記したように、例えば３軸加速度センサである。カメラ制御部１２１は、姿勢センサ１１４の出力信号を取得して、デジタルカメラ１００の姿勢を算出する。具体的には、カメラ制御部１２１は、重力方向を基準軸として、これに直交する２軸を設定し、デジタルカメラ１００がこれら３軸に対してそれぞれ何度傾いているかを算出する。
【００３７】
なお、上記したメニュー項目において自動回転表示の設定が有効となっている場合に、ユーザがデジタルカメラ１００の姿勢を変更すると、表示制御部１３３は、表示部１０３に表示する画像を、適正な配置となるように自動的に回転させる。自動回転表示の設定について具体的に述べる。まず、ユーザは、メニューボタン１０６を押し、メニュー項目を表示部１０３に表示させる。次いで、ユーザは、十字キー１０７を操作して、自動回転表示の設定を行う項目を選択する。そして、ユーザは、決定ボタン１０８を押し、自動回転表示の設定をＯＮとする。これにより、カメラ制御部１２１は、自動回転表示がＯＮに設定されたことを受け付けて、システムメモリ１２２に自動回転表示の設定情報を記録する。本実施形態においては、カメラ制御部１２１は、自動回転表示を実行するか否かを設定する設定部として機能する。
【００３８】
自動回転表示がＯＮに設定されている状態で、ユーザがデジタルカメラ１００の姿勢を変更すると、カメラ制御部１２１は、姿勢センサ１１４からの出力信号により、デジタルカメラ１００の姿勢が変更されたことを検出する。そして、カメラ制御部１２１は、デジタルカメラ１００の姿勢に応じて、表示部１０３に表示する画像の適正な配置を算出し、表示制御部１３３に表示画像の回転を指令する。ここで、画像の適正な配置とは、例えば画像における下方向と重力方向とが一致する配置である。表示制御部１３３は、カメラ制御部１２１からの指令を受けて、表示部１０３に表示する画像を回転させる。
【００３９】
上記したように、デジタルカメラ１００は、ユーザからの操作を受け付ける操作部材１０４を複数備えている。操作受付部１３６は、これら操作部材１０４が操作されたことを受け付けてカメラ制御部１２１へ受付結果を出力する。カメラ制御部１２１は、操作受付部１３６からの出力信号を受け取って、これら操作部材１０４が操作されたことを検知し、操作に応じた動作を実行する。なお、本実施形態においては、操作部材１０４は、ボタンまたは回転式ダイヤルを含む。しかしながら、これに限らず、操作部材１０４は、表示部１０３に重ねて配設するタッチパネルを含んでいてもよい。
【００４０】
デジタルカメラ１００は、時間を計測するための計時部１３７を備える。計時部１３７は、カメラ制御部１２１からの指令に従って計時を開始する。カメラ制御部１２１は、計時部１３７からの出力信号を参照して、特定時点からの経過時間を計時することができる。例えば、カメラ制御部１２１は、計時部１３７と協働することによって、デジタルカメラ１００が同一姿勢に保持されている時間を計時することができる。
【００４１】
具体的には、カメラ制御部１２１は、デジタルカメラ１００が同じ姿勢に一定時間保持されたことを検出する。カメラ制御部１２１は、その時点で計時部１３７に計時開始を指令する。その後に、カメラ制御部１２１は、デジタルカメラ１００の姿勢が変化したことを検出した時点で、計時部１３７に計時終了を指令し、計時部１３７に計測された時間を参照する。これにより、カメラ制御部１２１は、デジタルカメラ１００が同じ姿勢に保持されていた時間を計測することができる。
【００４２】
デジタルカメラ１００は、当該デジタルカメラ１００が三脚に取り付けられているか否かを検出する三脚検出部１３８を備える。三脚検出部１３８は、デジタルカメラ１００における三脚との連結部に設けられ、デジタルカメラ１００が三脚に取り付けられると、カメラ制御部１２１へ検出信号を出力する。
【００４３】
本実施形態に係るデジタルカメラ１００は、上記構成を備えることにより、デジタルカメラ１００の姿勢に応じて、表示部１０３のバックライトの輝度を調整するか否かを決定することができる。より具体的には、デジタルカメラ１００は、当該デジタルカメラ１００の姿勢からユーザが表示部１０３を見ていると推定されるときには、適切な輝度となるように表示部１０３のバックライトの輝度を調整する。一方、デジタルカメラ１００は、当該デジタルカメラ１００の姿勢からユーザが表示部１０３を見ていないと推定されるときには、表示部１０３のバックライトの輝度を調整しない。これにより、デジタルカメラ１００は、ユーザが実際に表示部１０３を見たときに、適切な輝度となるように表示部１０３の輝度を調整することができるとともに、不必要な輝度調整によって消費電力が増大してしまうことを防ぐことができる。
【００４４】
図４は、本実施形態に係るデジタルカメラ１００が様々な姿勢に保持された状態を示す図である。なお、図４においては、紙面下方が鉛直下方を示す。図４に示すデジタルカメラ１００の姿勢について具体的に述べると、図４（ａ）は、デジタルカメラ１００が、正位置に保持されている状態を示す。なお、本実施形態における正位置とは、図４（ａ）に示すように、デジタルカメラのｘ軸方向およびｚ軸方向が略水平、且つ、デジタルカメラのｙ軸正方向が、鉛直上方と略一致するようにデジタルカメラ１００が保持された状態を示す。
【００４５】
図４（ｂ）は、デジタルカメラ１００が、縦位置に保持されている状態を示す。すなわち、図４（ｂ）に示すデジタルカメラ１００は、ｚ軸正方向から見て、図４（ａ）の状態からｚ軸を基準として時計回りに略９０°回転した状態である。図４（ｃ）は、図４（ｂ）と同様に、デジタルカメラ１００が縦位置に保持されている状態を示す。すなわち、図４（ｃ）に示すデジタルカメラ１００は、ｚ軸正方向から見て、図４（ａ）の状態からｚ軸を基準として反時計回りに略９０°回転した状態である。図４（ｄ）は、デジタルカメラ１００の表示部１０３の表側が、鉛直上方を向いている状態を示す。すなわち、図４（ｄ）に示すデジタルカメラ１００は、ｘ軸正方向から見て、図４（ａ）の状態からｘ軸を基準として時計回りに略９０°回転した状態である。図４（ｅ）は、デジタルカメラ１００が、逆さまに保持されている状態を示す。すなわち、図４（ｅ）に示すデジタルカメラ１００は、ｚ軸正方向から見て、図４（ａ）の状態からｚ軸を基準として時計回りに略１８０°回転した状態である。図４（ｆ）は、デジタルカメラ１００の表示部１０３の表側が、鉛直下方を向いている状態を示す。すなわち、図４（ｆ）に示すデジタルカメラ１００は、ｘ軸正方向から見て、図４（ａ）の状態からｘ軸を基準として時計回りに略２７０°回転した状態である。
【００４６】
ユーザは、実使用上において、デジタルカメラ１００を様々な姿勢に保持し、被写体の撮影または画像の再生を行う。ユーザは、デジタルカメラ１００の使用上の標準的な姿勢として、図４（ａ）に示すようにデジタルカメラ１００を正位置に保持した状態で、表示部１０３に表示される再生画像を見たり、ライブビューを参照しつつ被写体を撮影したりする。また、ユーザは、図４（ｂ），（ｃ）に示すようにデジタルカメラ１００を縦位置に保持した状態で、縦画角にて被写体の撮影を行う場合もある。また、ユーザが上記した自動回転表示設定を有効としている場合には、デジタルカメラ１００を縦位置に保持しつつ、撮影した画像を再生していることも考えられる。また、ユーザは、撮影した画像を再生する場合等において、図４（ｄ）に示すようにデジタルカメラ１００を保持し、上から見下ろすようにして表示部１０３を見ることも多い。
【００４７】
その一方で、ユーザが図４（ｅ）または（ｆ）に示すようにデジタルカメラ１００を保持した状態で、被写体の撮影または画像再生を行う可能性は低いものと考えられる。図４（ｅ）に示すように、ユーザがデジタルカメラ１００を逆さまに保持しつつ、被写体の撮影を行うことは、一般的に考えにくい。しかしながら、この場合の例外として、ユーザが上記した自動回転表示設定を有効としている場合には、デジタルカメラ１００を逆さまに保持しつつ、撮影した画像を再生している可能性がある。
【００４８】
また、ユーザがデジタルカメラ１００を図４（ｆ）の姿勢に保持した場合、ユーザは、表示部１０３を下から見上げることとなる。このような姿勢で被写体の撮影を行うことは、一般的に考えにくい。しかしながら、この場合の例外として、例えばユーザが仰臥しつつ、下側から表示部１０３に映し出された再生画像を見る場合がある。この場合、デジタルカメラ１００は、図４（ｆ）の姿勢のまま一定時間保持される。このように、デジタルカメラ１００が図４（ｆ）の姿勢で一定時間保持されている場合には、ユーザが再生画像を見ている可能性がある。
【００４９】
上記のように、ユーザは、実際に表示部１０３を見ながら被写体の撮影または画像再生を行っている場合、デジタルカメラ１００を、表示部１０３が見易くなる姿勢に保持する可能性が高い。したがって、デジタルカメラ１００の姿勢を参照することによって、ユーザが実際に表示部１０３を見ているか否かを推定することができる。さらに、デジタルカメラ１００の姿勢の検出結果に、上記した自動回転表示設定の有無、またはデジタルカメラ１００が同じ姿勢に保持されている時間といった条件を加味することによって、ユーザが実際に表示部１０３を見ているか否かを、より高精度に推定することができる。
【００５０】
そこで、本実施形態に係るデジタルカメラ１００は、デジタルカメラ１００の姿勢、同姿勢に保持されている時間、および自動回転表示設定の有無といった条件に応じて、ユーザが実際に表示部１０３を見ているか否かを推定する。そして、デジタルカメラ１００は、その結果により表示部１０３の輝度調整を行うか否かを決定する。
【００５１】
以下、デジタルカメラ１００が図４（ａ）〜（ｆ）に示す姿勢に保持されているかを判断する方法について説明する。本実施形態においては、姿勢センサ１１４は、３軸加速度センサによって構成され、姿勢センサ１１４の基準軸は、デジタルカメラ１００のｘ軸、ｙ軸、およびｚ軸に設定されている。例えば、デジタルカメラ１００が図４（ａ）に示す正位置に保持された場合、重力方向は、デジタルカメラ１００のｙ軸負方向となる。この場合、姿勢センサ１１４は、ｙ軸負方向に向けて働く重力を検出する。同様に、デジタルカメラ１００が図４（ｂ）〜（ｆ）に示す姿勢に保持された場合においても、姿勢センサ１１４は、デジタルカメラ１００の姿勢に応じて、重力のｘ軸成分、ｙ軸成分、またはｚ軸成分をそれぞれ検出する。デジタルカメラ１００が図４（ａ）〜（ｆ）に示す姿勢に保持された場合に、姿勢センサ１１４によって検出される重力のｘ軸成分、ｙ軸成分、およびｚ軸成分の出力値の例を表１に示す。
【００５２】
【表１】
2013127548.tif 000003
【００５３】
例えば、カメラ制御部１２１は、表１（ａ）に示す出力値を基準とし、姿勢センサ１１４の出力値のｘ軸成分、ｙ軸成分、およびｚ軸成分が当該基準値から予め定められた範囲内である場合に、デジタルカメラ１００が正位置に保持されていると判断する。ここで、上述の予め定められた範囲は、実用上正位置に保持されていると見なせる姿勢、手振れの影響等を考慮して、実験的またはシミュレーションによって定められる。
【００５４】
具体的には、カメラ制御部１２１は、姿勢センサ１１４の出力値が、−０．３Ｇ≦ｘ≦０．３Ｇ、−１．３Ｇ≦ｙ≦−０．７Ｇ、および、−０．３Ｇ≦ｘ≦０．３Ｇである場合に、デジタルカメラ１００が図４（ａ）の姿勢に保持されていると判断する。同様に、図４（ｂ）〜（ｆ）に示す姿勢のそれぞれについても、表１（ｂ）〜（ｆ）に示す基準値、および予め定められた範囲が設定される。そして、カメラ制御部１２１は、姿勢センサ１１４の出力値のｘ軸成分、ｙ軸成分、およびｚ軸成分が当該基準値から予め定められた範囲内である場合に、図４（ｂ）〜（ｆ）のいずれかの姿勢に保持されていると判断する。
【００５５】
図５は、本実施形態に係るデジタルカメラ１００の表示に関わる動作フローを示すフローチャートである。図５に示す動作フローは、ユーザがディスプレイボタン１０５を押し、表示部１０３の表示がＯＮとされたときに開始する。ステップＳ１０１において、カメラ制御部１２１は、自動輝度調整の設定がＯＮにされているか否かを判断する。カメラ制御部１２１は、自動輝度調整の設定がＯＮであると判断すると、ステップＳ１０２へ進む。一方、カメラ制御部１２１は、自動輝度調整の設定がＯＦＦであると判断すると、後述するステップＳ３０１へ進む。
【００５６】
ステップＳ１０２において、カメラ制御部１２１は、ユーザによって被写体撮影モードまたは再生モードのいずれが選択されているかを判断する。カメラ制御部１２１は、被写体撮影モードが選択されていると判断すると、ステップＳ１０３へ進む。一方、カメラ制御部１２１は、ユーザによって再生モードが選択されていると判断すると、ステップＳ２０２へ進む。
【００５７】
ステップＳ１０３において、カメラ制御部１２１は、カメラ本体１０１に交換レンズ１０２が装着されているか否かを判断する。具体的には、カメラ制御部１２１は、レンズ着脱検出部１３５からの出力信号を参照して、カメラ本体１０１に交換レンズ１０２が装着されているか否かを判断する。カメラ制御部１２１は、カメラ本体１０１に交換レンズ１０２が装着されていると判断すると、ステップＳ１０４へ進む。一方、カメラ制御部１２１は、カメラ本体１０１に交換レンズ１０２が装着されていないと判断すると、被写体撮影モードから再生モードへと移行させ、ステップＳ２０２へ進む。
【００５８】
ステップＳ１０４において、カメラ制御部１２１は、環境照度と被写体照度を取得する。具体的には、カメラ制御部１２１は、照度センサ１１３から出力される照度信号を受け取って、外界の環境照度を算出する。また、カメラ制御部１２１は、測光センサ１３４から照度信号を受け取って、被写体像全体の照度を算出する。
【００５９】
ステップＳ１０５において、カメラ制御部１２１は、ステップＳ１０４にて取得した環境照度と被写体照度との差が、所定の閾値を超過するか否かを判断する。そして、カメラ制御部１２１は、環境照度と被写体照度との差が所定の閾値を超過した場合、交換レンズ１０２にレンズキャップが装着されているものと判断し、ステップＳ２０２へと進む。一方、カメラ制御部１２１は、環境照度と被写体照度との差が所定の閾値を超過しなかった場合、交換レンズ１０２にレンズキャップが装着されていないと判断し、ステップＳ１０６へと進む。ステップＳ１０５の判断について、以下に説明する。
【００６０】
上記したように、照度センサ１１３は、デジタルカメラ１００の背面に設けられている。すなわち、照度センサ１１３は、デジタルカメラ１００の背面側の環境照度を検出する。一方、測光センサ１３４は、レンズ群１２３を透過して入射する被写体像全体の照度を検出する。すなわち、測光センサ１３４によって検出される被写体照度は、デジタルカメラ１００の前方側の照度である。
【００６１】
ここで、ユーザがディスプレイボタン１０５を操作して表示部１０３を表示させ、且つ、環境照度が被写体照度の値を大きく上回っている場合について考える。この場合、ユーザは、交換レンズ１０２にレンズキャップを装着し、デジタルカメラ１００を再生モードとして、表示部１０３に画像を再生させる意図がある可能性が高い。
【００６２】
そこで、本実施形態においては、ユーザは、操作部材１０４を介して環境照度と被写体照度との差に対して閾値を設定する。カメラ制御部１２１は、ユーザから上記閾値の設定を受け付けて、システムメモリ１２２に記録する。そして、カメラ制御部１２１は、ユーザが表示部１０３を表示させた状態において照度差が閾値を超過した場合に、ユーザが交換レンズ１０２にレンズキャップを装着し、再生モードで画像再生をする意図があると判断する。例えば、ユーザは、閾値を照度差：Ｅｖ＝５に設定する。この場合、カメラ制御部１２１は、環境照度と被写体照度との差δＥｖが、δＥｖ＞５である場合に、ユーザが交換レンズ１０２にレンズキャップを装着し、再生モードで画像再生をする意図があると判断する。そして、カメラ制御部１２１は、被写体撮影モードから再生モードへと移行させ、動作フローをステップＳ２０２へ移行させる。
【００６３】
ステップＳ１０６において、表示制御部１３３は、表示部１０３にライブビュー表示させる。ステップＳ１０７において、カメラ制御部１２１は、姿勢センサ１１４からの出力信号により、デジタルカメラ１００の姿勢を検出する。
【００６４】
ステップＳ１０８において、カメラ制御部１２１は、ステップＳ１０７にて取得した姿勢検出結果に応じて、デジタルカメラ１００が正位置、縦位置、および表示部１０３上向きのいずれかの姿勢で保持されているか否かを判断する。具体的には、カメラ制御部１２１は、デジタルカメラ１００が図４（ａ）〜（ｃ）、または（ｄ）のいずれかの姿勢に保持されているか否かを判断する。カメラ制御部１２１は、デジタルカメラ１００が正位置、縦位置、および表示部１０３上向きのいずれかの姿勢で保持されていると判断した場合、ステップＳ１０９へ進む。一方、カメラ制御部１２１は、デジタルカメラ１００が正位置、縦位置、および表示部１０３上向きのいずれの姿勢にも保持されていないと判断した場合、ステップＳ１１４に進む。
【００６５】
ステップＳ１０９において、カメラ制御部１２１は、環境照度を取得する。具体的には、カメラ制御部１２１は、照度センサ１１３から出力される照度信号を受け取って、外界の照度値を算出する。ステップＳ１１０において、カメラ制御部１２１は、表示制御部１３３を介して、表示部１０３のバックライトの輝度を調整させる。具体的には、カメラ制御部１２１は、ステップＳ１０９にて取得した照度値に応じて、表示制御部１３３に表示部１０３の輝度を適正に調整するように指令する。表示制御部１３３は、カメラ制御部１２１の指令に従って表示部１０３に輝度調整信号を送り、表示部１０３のバックライトの輝度を調整する。
【００６６】
ステップＳ１１１において、カメラ制御部１２１は、デジタルカメラ１００の姿勢が変化したか否かを判断する。例えば、カメラ制御部１２１は、上記した姿勢センサ１１４の出力値に対して設定される範囲に従って、デジタルカメラ１００の姿勢が変化したか否かを判断してもよい。また、設定した範囲には、ヒステリシスを設けてもよい。カメラ制御部１２１は、デジタルカメラ１００の姿勢が変化したと判断すると、ステップＳ１０７へ戻る。一方、カメラ制御部１２１は、デジタルカメラ１００の姿勢に変化がないと判断すると、ステップＳ１１２へ進む。
【００６７】
ステップＳ１１２において、カメラ制御部１２１は、被写体撮影モードから再生モードへ変更されたか否かを判断する。カメラ制御部１２１は、被写体撮影モードから変更がないと判断すると、ステップＳ１１３に進む。一方、カメラ制御部１２１は、再生モードに変更されたと判断すると、ステップＳ２０２へ進む。
【００６８】
ステップＳ１１３において、カメラ制御部１２１は、ユーザによって表示部１０３の表示がＯＦＦとされたか否かを判断する。カメラ制御部１２１は、ユーザによってディスプレイボタン１０５が操作され、表示部１０３の表示がＯＦＦにされると、表示制御部１３３を介して表示部１０３の表示を終了させる。一方、カメラ制御部１２１は、表示部１０３の表示がＯＮのままであると判断すると、ステップＳ１０９へ戻る。
【００６９】
ステップＳ１０８においてＮＯと判断されてステップＳ１１４に進むと、カメラ制御部１２１は、ステップＳ１１４において、輝度を固定したまま表示部１０３に表示させる。具体的には、カメラ制御部１２１は、表示制御部１３３に対して、表示部１０３のバックライトの輝度を固定したままライブビュー表示を実行するように指令をする。表示制御部１３３は、カメラ制御部１２１の指令に従って、表示部１０３に輝度を固定したままライブビュー画面を表示させる。
【００７０】
ステップＳ１１５において、カメラ制御部１２１は、計時開始からの経過時間が一定時間を超えたか否かを判断する。具体的には、カメラ制御部１２１は、ステップＳ１０８にて姿勢が検出されたことをトリガーとして、計時部１３７に計時開始を指令する。そして、ステップＳ１１５において、カメラ制御部１２１は、計時部１３７に計時開始を指令してからの経過時間が一定時間を超えたか否かを判断する。カメラ制御部１２１は、計時開始からの経過時間が一定時間を超えたと判断した場合には、ステップＳ１０９へ進む。
【００７１】
一方、カメラ制御部１２１は、ステップＳ１１５において、計時開始から一定時間以上経過していないと判断した場合、ステップＳ１１６へ進む。ステップＳ１１６において、カメラ制御部１２１は、ステップＳ１１１と同様に、デジタルカメラ１００の姿勢が変化したか否かを判断する。カメラ制御部１２１は、デジタルカメラ１００の姿勢が変化したと判断すると、ステップＳ１０７へ戻る。一方、カメラ制御部１２１は、デジタルカメラ１００の姿勢に変化がないと判断すると、ステップＳ１１７へ進む。
【００７２】
ステップＳ１１７において、カメラ制御部１２１は、ステップＳ１１２と同様に、被写体撮影モードから再生モードへ変更されたか否かを判断する。カメラ制御部１２１は、再生モードへ変更されていないと判断すると、ステップＳ１１８に進む。一方、カメラ制御部１２１は、再生モードに変更されたと判断すると、ステップＳ２０２へ進む。
【００７３】
ステップＳ１１８において、カメラ制御部１２１は、表示部１０３の表示がＯＦＦとされたか否かを判断する。カメラ制御部１２１は、ユーザによって表示部１０３の表示がＯＦＦにされると、表示制御部１３３を介して表示部１０３の表示を終了させる。一方、カメラ制御部１２１は、表示部１０３の表示がＯＮのままであると判断すると、ステップＳ１１５へ戻る。
【００７４】
ここで、ステップＳ１１６においてＮＯと判断され、ステップ１１７およびステップ１１８を経てステップＳ１１５に戻った場合、デジタルカメラ１００は、ステップＳ１０８にて検出した姿勢に保持され続けていることとなる。そして、カメラ制御部１２１は、ステップＳ１１５において、再度、計時開始からの経過時間を参照する。そして、カメラ制御部１２１は、計時開始からの経過時間が一定時間を超えたと判断した場合には、デジタルカメラ１００が同一姿勢に一定時間以上保持されていると判断し、ステップＳ１０９へ進む。そして、上記ステップＳ１０９からステップＳ１１３の動作フローを実行する。すなわち、カメラ制御部１２１は、環境照度に応じて表示部１０３の輝度を調整させる。この構成について、以下に説明する。
【００７５】
ステップＳ１１５においては、デジタルカメラ１００は、図４（ｅ）、（ｆ）、または、図４のいずれにも分類されない姿勢に保持されている。上記したように、デジタルカメラ１００がこのような姿勢で保持され、且つ、表示部１０３がライブビュー表示している場合、ユーザが実際に表示部１０３を見ている可能性は、一般的に低い。しかしながら、デジタルカメラ１００が同一姿勢で一定時間以上保持されている場合には、ユーザが表示部１０３を見ている可能性がある。
【００７６】
そこで、本実施形態に係るカメラ制御部１２１は、デジタルカメラ１００が同一姿勢で一定時間以上保持されていると判断した場合、ユーザが表示部１０３を見ているものと推定する。そして、カメラ制御部１２１は、上記ステップＳ１０９からステップＳ１１３の動作フローを実行し、環境照度に応じて表示部１０３のバックライトの輝度を調整させる。この構成によれば、カメラ制御部１２１は、ユーザが実際に表示部１０３を見ているか否かをより高精度に推定することができる。そして、カメラ制御部１２１は、その推定結果に応じて、環境照度に応じて表示部１０３の輝度を調整させるか否かを決定することができる。
【００７７】
ステップＳ１０２においてＮＯと判断されると、ステップＳ２０２において、カメラ制御部１２１は、画像の再生を実行する。具体的には、カメラ制御部１２１は、記録部１３２から画像データを読み出し、表示制御部１３３に送る。表示制御部１３３は、カメラ制御部１２１の指令の下、表示部１０３に画像を再生させる。
【００７８】
ステップＳ２０３において、カメラ制御部１２１は、ステップＳ１０７と同様に、姿勢センサ１１４からの出力信号により、デジタルカメラ１００の姿勢を検出する。ステップＳ２０４において、カメラ制御部１２１は、ステップＳ２０３にて取得した姿勢検出結果に応じて、デジタルカメラ１００が正位置または表示部１０３上向きの姿勢で保持されているか否かを判断する。具体的には、カメラ制御部１２１は、デジタルカメラ１００が図４（ａ）または（ｄ）の姿勢に保持されていると判断した場合、ステップＳ２０５へ進む。一方、カメラ制御部１２１は、デジタルカメラ１００が図４（ａ）および（ｄ）以外の姿勢に保持されていると判断した場合、ステップＳ２１０に進む。
【００７９】
ステップＳ２０５において、カメラ制御部１２１は、環境照度を取得する。そして、ステップＳ２０６において、カメラ制御部１２１は、ステップＳ２０５にて取得した環境照度に応じて、表示制御部１３３を介して表示部１０３の輝度を調整させる。そして、ステップＳ２０７において、カメラ制御部１２１は、デジタルカメラ１００の姿勢が変化したか否かを判断する。カメラ制御部１２１は、デジタルカメラ１００の姿勢が変化したと判断すると、ステップＳ２０３へ戻る。一方、カメラ制御部１２１は、デジタルカメラ１００の姿勢に変化がないと判断すると、ステップＳ２０８へ進む。
【００８０】
ステップＳ２０８において、カメラ制御部１２１は、再生モードから被写体撮影モードに変更されたか否かを判断する。カメラ制御部１２１は、被写体撮影モードへ変更されていないと判断すると、ステップＳ２０９に進む。一方、カメラ制御部１２１は、再生モードから被写体撮影モードに変更されたと判断すると、ステップＳ１０３へ進む。
【００８１】
ステップＳ２０９において、カメラ制御部１２１は、ユーザによって表示部１０３の表示がＯＦＦとされたか否かを判断する。カメラ制御部１２１は、ユーザによって表示部１０３の表示がＯＦＦにされると、表示制御部１３３を介して表示部１０３の表示を終了させる。一方、カメラ制御部１２１は、表示部１０３の表示がＯＮのままであると判断すると、ステップＳ２０５へ戻る。
【００８２】
ステップＳ２０４においてＮＯと判断されステップＳ２１０に進むと、カメラ制御部１２１は、ステップＳ２０３にて取得した姿勢検出結果に応じて、デジタルカメラ１００が縦位置または逆さまの姿勢で保持されているか否かを判断する。具体的には、カメラ制御部１２１は、デジタルカメラ１００が図４（ｂ）、（ｃ）、または（ｅ）の姿勢に保持されているか否かを判断する。そして、カメラ制御部１２１は、デジタルカメラ１００が縦位置または逆さまの姿勢で保持されていると判断した場合、ステップＳ２１１へ進む。一方、カメラ制御部１２１は、デジタルカメラ１００が図４（ｆ）、または、図４のいずれにも分類されない姿勢に保持されていると判断した場合、ステップＳ２１３に進む。
【００８３】
ステップＳ２１１において、カメラ制御部１２１は、自動回転表示がＯＮに設定されているか否かを判断する。具体的には、カメラ制御部１２１は、システムメモリ１２２に記録された自動回転表示の設定を参照し、自動回転表示がＯＮに設定されているか否かを判断する。カメラ制御部１２１は、自動回転表示がＯＮに設定されていると判断すると、ステップＳ２０５に進む。そして、上記ステップＳ２０５からステップＳ２０９の動作フローを実行する。すなわち、カメラ制御部１２１は、環境照度に応じて表示部１０３の輝度を調整させる。ステップＳ２１１の判断について、以下に説明する。
【００８４】
ステップＳ２１１においては、デジタルカメラ１００は、図４（ｂ）、（ｃ）、または（ｅ）の姿勢に保持されている。デジタルカメラ１００がこのような姿勢で保持され、且つ、表示部１０３が画像再生等をしている場合、ユーザが実際に表示部１０３を見ている可能性は、一般的に低い。しかしながら、自動回転表示がＯＮに設定された状態において、デジタルカメラ１００が図４（ｂ）、（ｃ）、または（ｅ）の姿勢に保持された場合、表示制御部１３３は、表示部１０３に表示する画像を、適正な配置となるように自動的に回転させる。このような場合は、ユーザが表示部１０３を見ている可能性がある。
【００８５】
そこで、カメラ制御部１２１は、ステップＳ２１１において自動回転表示がＯＮに設定されていると判断した場合、ユーザが表示部１０３を見ているものと推定する。そして、カメラ制御部１２１は、上記ステップＳ２０５からステップＳ２０９の動作フローを実行し、環境照度に応じて表示部１０３のバックライトの輝度を調整させる。この構成によれば、カメラ制御部１２１は、ユーザが実際に表示部１０３を見ているか否かをより高精度に推定することができる。そして、カメラ制御部１２１は、その推定結果に応じて、表示部１０３のバックライトの輝度を調整させるか否かを決定することができる。
【００８６】
一方、カメラ制御部１２１は、ステップＳ２１１において自動回転表示がＯＦＦに設定されていると判断すると、ステップＳ２１２に進む。そして、ステップＳ２１２において、カメラ制御部１２１は、輝度を固定したまま表示部１０３に画像再生を実行させる。
【００８７】
ステップＳ２１３において、カメラ制御部１２１は、ステップＳ１１５と同様に、計時開始からの経過時間が一定時間を超えたか否かを判断する。カメラ制御部１２１は、計時開始からの経過時間が一定時間を超えたと判断すると、ステップＳ２０５へ進む。一方、カメラ制御部１２１は、ステップＳ２１３において計時開始からの経過時間が一定時間に満たないと判断すると、ステップＳ２１４へ進む。ステップＳ２１４において、カメラ制御部１２１は、デジタルカメラ１００の姿勢が変化したか否かを判断する。カメラ制御部１２１は、デジタルカメラ１００の姿勢が変化したと判断すると、ステップＳ２０３へ戻る。一方、カメラ制御部１２１は、デジタルカメラ１００の姿勢に変化がないと判断すると、ステップＳ２１５へ進む。
【００８８】
ステップＳ２１５において、カメラ制御部１２１は、ステップＳ２０８と同様に、再生モードから被写体撮影モードに変更されたか否かを判断する。カメラ制御部１２１は、被写体撮影モードへ変更されていないと判断すると、ステップＳ２１６に進む。一方、カメラ制御部１２１は、被写体撮影モードへ変更されたと判断すると、ステップＳ１０３へ進む。
【００８９】
ステップＳ２１６において、カメラ制御部１２１は、表示部１０３の表示がＯＦＦとされたか否かを判断する。カメラ制御部１２１は、表示部１０３の表示がＯＦＦにされると、表示制御部１３３を介して表示部１０３の表示を終了させる。一方、カメラ制御部１２１は、表示部１０３の表示がＯＮのままであると判断すると、ステップＳ２１３へ戻る。カメラ制御部１２１は、ステップＳ２１３において、再度、計時開始からの経過時間を参照する。そして、カメラ制御部１２１は、計時開始からの経過時間が一定時間を超えたと判断した場合には、デジタルカメラ１００が同一姿勢に一定時間以上保持されていると判断し、ステップＳ２０５へ進む。そして、上記ステップＳ２０５からステップＳ２０９の動作フローを実行する。すなわち、カメラ制御部１２１は、環境照度に応じて表示部１０３の輝度を調整させる。
【００９０】
カメラ制御部１２１は、ステップＳ１０１においてＮＯと判断した場合、ステップＳ３０１へ進む。ステップＳ３０１において、カメラ制御部１２１は、表示部１０３の輝度調整を行わずに、輝度を固定したまま表示部１０３に表示させる。
【００９１】
ステップＳ３０２において、カメラ制御部１２１は、表示部１０３の表示がＯＦＦとされたか否かを判断する。カメラ制御部１２１は、表示部１０３の表示がＯＦＦにされると、表示制御部１３３を介して表示部１０３による表示を終了させる。一方、カメラ制御部１２１は、表示部１０３の表示がＯＮのままであると判断すると、ステップＳ３０１へ戻る。
【００９２】
以上のように、本実施形態に係るデジタルカメラ１００は、図５に示す動作フローを実行する。この構成によれば、デジタルカメラ１００は、当該デジタルカメラ１００の姿勢からユーザが表示部１０３を見ていると推定されるときには、適切な輝度となるように表示部１０３のバックライトの輝度を調整する。それとともに、デジタルカメラ１００は、当該デジタルカメラ１００の姿勢からユーザが表示部１０３を見ていないと推定されるときには、表示部１０３の輝度を調整しない。これにより、デジタルカメラ１００は、ユーザが実際に表示部１０３を見たときに、適切な輝度となるように表示部１０３の輝度を調整することができるとともに、不必要な輝度調整によって消費電力が増大してしまうことを防ぐことができる。
【００９３】
なお、上記実施形態においては、カメラ制御部１２１は、環境照度と被写体照度との差が予め設定された閾値を超過した場合に、交換レンズ１０２にレンズキャップが装着されているものと判断する場合について述べた。しかしながら、これに限らず、他の実施形態として、レンズを外界から保護する保護部材を電気的に開閉することができるデジタルカメラにおいて、保護部材の開閉を監視する被覆検出部を設けてもよい。このようなデジタルカメラにおいては、上記被覆検出部を設けることによって、保護部材がレンズを覆っているか否かを容易に検出することができる。
【００９４】
また、カメラ制御部１２１は、撮影モードが夜景モードに設定されているか否かを加味し、ユーザが表示部１０３を見ているか否かを判断してもよい。夜景モードに設定されている場合は、たとえ被写体照度と環境照度の差が設定された閾値を上回っていたとしても、ユーザが表示部１０３を見ながら被写体の撮影を行っている可能性が高い。したがって、この場合においては、カメラ制御部１２１は、交換レンズ１０２にレンズキャップが装着されていないものと判断してもよい。また、カメラ制御部１２１は、夜景モードの設定のＯＮ／ＯＦＦに限らず、ユーザが設定したシャッタ速度、絞り値、またはＩＳＯ感度等のパラメータを考慮して、交換レンズ１０２にレンズキャップが装着されているか否かを判断してもよい。
【００９５】
また、カメラ制御部１２１は、測光センサ１３４によって検出された被写体照度の変化に応じて、交換レンズ１０２にレンズキャップが装着されているか否かを判断してもよい。交換レンズ１０２にレンズキャップが装着されている場合、測光センサ１３４によって検出される被写体照度は全体的に低く、且つ、被写体照度の変化は極めて小さくなる。この場合は、交換レンズ１０２にレンズキャップが装着されていと判断してもよい。
【００９６】
また、カメラ制御部１２１は、再生する画像データが関連画像であるか否かを判断し、判断結果を加味して、表示部１０３の輝度調整を行うか否かを決定してもよい。この処理について具体的に述べる。カメラ制御部１２１は、まず、読み出した画像データに付加されたＥｘｉｆ情報を参照する。そして、カメラ制御部１２１は、読み出した画像データが連写撮影またはブラケット撮影等によって撮影された一連の画像データであるか否かを判断する。カメラ制御部１２１は、画像データが関連画像であると判断した場合、輝度調整を行わずに、関連画像を表示部１０３に連続的に再生させる。
【００９７】
ここで、関連画像の再生時に輝度調整を行わない理由について説明する。連写撮影またはブラケット撮影等によって撮影された一連の画像データは、カメラ制御部１２１によって記録部１３２から読み出され、表示部１０３に表示される。ユーザは、表示部１０３に表示された一連の関連画像同士を比較しつつ、画像間における被写体の動きの変化、または明るさの差異等を観察する。
【００９８】
すなわち、ユーザが関連画像を見る場合、表示部１０３に表示される画像は、撮影時本来の明るさで表示されることが望ましい。したがって、本実施形態においては、デジタルカメラ１００は、ユーザが関連画像を見ている場合には、表示部１０３の輝度を調整しない。これにより、ユーザが関連画像を参照する場合において、デジタルカメラ１００は、不必要に表示部１０３の輝度調整を実行してしまうことを防ぐことができる。なお、カメラ制御部１２１は、表示部１０３に関連画像を表示する場合に、各画像にヒストグラムを表示してもよい。これにより、ユーザは、画像の輝度分布を容易に把握することができる。
【００９９】
また、上記実施形態においては、ユーザが実際に表示部１０３を見ているか否かをより高精度に推定するために、ステップＳ１１５またはステップＳ２１１を設ける場合について述べた。しかしながら、これに限らず、カメラ制御部１２１は、ステップＳ１１５またはステップＳ２１１を実行することなく、デジタルカメラ１００の姿勢のみに応じて、表示部１０３の輝度調整を行うか否かを決定してもよい。
【０１００】
また、上記実施形態においては、姿勢センサ１１４に加速度センサを適用した場合について述べた。しかしながら、これに限らず、デジタルカメラ１００の姿勢を検出可能であれば、如何なる装置、または手段を適用してもよい。
【０１０１】
また、上記実施形態においては、表示部１０３がカメラ本体１０１に固設されている場合について述べた。しかしながら、これに限らず、いわゆるバリアングルタイプのデジタルカメラのように、表示部１０３がカメラ本体１０１に角度変位可能に取り付けられていてもよい。この場合、カメラ制御部１２１は、表示部１０３の姿勢に応じて、表示部１０３の輝度調整を行うか否かを決定してもよい。
【０１０２】
また、カメラ制御部１２１は、上記障害物センサ１１２からの出力信号を加味して、表示部１０３の輝度調整を行うか否かを決定してもよい。一般的には、ユーザは、ファインダー１１１を使用して被写体の撮影を行う場合、表示部１０３を見る可能性は低い。そこで、カメラ制御部１２１は、障害物センサ１１２の出力信号を参照して、ユーザがファインダー１１１を使用して撮影を行っていると判断される場合に、バックライトをオフにする。これにより、ユーザが表示部１０３を見ていないときに、不必要な輝度調整を実行してしまうことを防止することができる。
【０１０３】
また、カメラ制御部１２１は、上記三脚検出部１３８からの出力信号を加味して、表示部１０３の輝度調整を行うか否かを決定してもよい。一般的には、ユーザは、デジタルカメラ１００を三脚に据えて被写体の撮影を行う場合、表示部１０３を見る可能性は高い。そこで、カメラ制御部１２１は、三脚検出部１３８からの出力信号を参照して、ユーザが三脚を使用して撮影を行っていると判断される場合に、周囲の環境照度に応じて輝度調整を行ってもよい。
【０１０４】
また、上記実施形態においては、表示部１０３は液晶ディスプレイユニットとして説明したが、液晶でなく有機ＥＬなどの自発光型表示ユニットを適用することもできる。この場合、バックライトを調整するのではなく各画素の発光量を調整すれば良い。
【０１０５】
また、上記実施形態においては、表示装置の例としてレンズ交換式一眼レフデジタルカメラ１００を用いて説明したが、他の形式のカメラであっても良い。具体的には、本実施形態の概念は、コンパクトデジタルカメラ、ミラーレス一眼カメラ、ビデオカメラ等に適用できる。また、本実施形態の概念は、カメラのみならず、携帯電話、タブレット型端末装置等のモバイル機器にも適用できる。
【０１０６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０８】
１００  デジタルカメラ、１０１  カメラ本体、１０２  交換レンズ、１０３  表示部、１０４  操作部材、１０５  ディスプレイボタン、１０６  メニューボタン、１０７  十字キー、１０８  決定ボタン、１０９  再生ボタン、１１０  撮影モードダイヤル、１１１  ファインダー、１１２  障害物センサ、１１３  照度センサ、１１４  姿勢センサ、１２１  カメラ制御部、１２２  システムメモリ、１２３  レンズ群、１２６  レンズ制御部、１２７  撮像素子、１２８  駆動部、１２９  Ａ／Ｄ変換器、１３０  内部メモリ、１３１  画像処理部、１３２  記録部、１３３  表示制御部、１３４  測光センサ、１３５  レンズ着脱検出部、１３６  操作受付部、１３７  計時部、１３８  三脚検出部
【図１】
2013127548.tif 000004
【図２】
2013127548.tif 000005
【図３】
2013127548.tif 000006
【図４】
2013127548.tif 000007
【図５】
2013127548.tif 000008